(57)【要約】【課題】  強度を維持しつつ軽量化を図るとともに、コストダウンを可能とし、かつ機能を向上させた延長ステップを備えた乗用田植機を提供する。【解決手段】  走行機体１１の後方に植付け装置２１を昇降自在に支持した乗用田植機１０において、走行機体１１に設けたリヤカバー３２の後部に配置されたステップ３３の後方に着脱自在に取付ける延長ステップ４１を、上面に滑り止め用突起４２及び排水用溝を有し、かつ裏面に、前記走行機体１１から延びている支持ステー３７を受入れる取付け位置決め用凹部を有する、ブロー成形された中空部材で形成した。【選択図】      図１
2006067906.tif 000002
【特許請求の範囲】
【請求項１】
走行機体の後方に植付け装置を昇降自在に支持し、かつ走行機体に設けたリヤカバーの後部にステップを配置し、更に該ステップの後方に延長ステップを着脱自在に取付けた、乗用田植機において、
前記延長ステップは、ブロー成形による中空部材からなり、上面に滑り止め用突起及び排水用溝を有し、かつ裏面に、前記走行機体から延びている支持ステーを受け入れる取付け位置決め用凹部を有している、
ことを特徴とする乗用田植機。
【請求項２】
前記延長ステップは、前記取付け位置決め用凹部を後部に配置し、前端部に取付け孔を空けた圧潰部を有し、
前記取付け位置決め用凹部に前記支持ステーを受け入れると共に、前記走行機体に、前記取付け孔を前記リヤカバーと共に共締して、前記走行機体に前記延長ステップを取付けてなる、
請求項１記載の乗用田植機。
【請求項３】
前記延長ステップを、左右に分割して、左延長ステップと、右延長ステップにより構成し、
これら左右延長ステップをそれぞれ前記走行機体に着脱自在とした、
請求項１又は２に記載の乗用田植機。
【発明の詳細な説明】
【技術分野】
【０００１】
本発明は、走行機体の後方に植付け装置を昇降自在に支持し、かつ走行機体に設けたリヤカバーの後部にステップを配置し、該ステップの後方に延長ステップを着脱自在に取付けた乗用田植機に関する。
【背景技術】
【０００２】
走行機体の後方に植付け装置を昇降自在に支持した乗用田植機により行う田植え作業には、苗の植付け作業のみを行う場合と、走行機体後部に施肥機を搭載し、苗の植付けと該苗に対する施肥作業を同時に行う場合とがある。
【０００３】
従来の乗用田植機においては、前記苗の植付け作業のみを行う場合には、走行機体のリヤカバーの後部に配置されたステップの後方に、延長ステップを取付け、植付け装置に対するマット苗の供給などの作業性を向上させるように構成され、苗の植付け作業と施肥作業を同時に行う場合には、前記延長ステップを取外したあとに施肥機を搭載して、植付け作業と施肥作業を同時に行うように構成されている（例えば、特許文献１参照）。
【０００４】
【特許文献１】特開２００３−１４３９０９号公報（第７ページ、図１５）
【発明の開示】
【発明が解決しようとする課題】
【０００５】
前記従来技術では、延長ステップを取付けて作業する場合、延長ステップ上面が平らであるため、植付け装置にマット苗を供給するために、延長ステップに足をかけた際に足が滑り易いなど延長ステップとしての機能が不十分なものになっていた。
【０００６】
前記の事情に鑑み、本発明は、強度を維持しつつ軽量化を図ると共に、コストダウンを可能とし、かつ機能を向上させた延長ステップを備えた乗用田植機を提供することを目的とする。
【課題を解決するための手段】
【０００７】
前記目的を達成するため、請求項１に係る本発明は、走行機体（１１）の後方に植付け装置（２１）を昇降自在に支持し、かつ走行機体（１１）に設けたリヤカバー（３２）の後部にステップ（３３）を配置し、更に該ステップ（３３）の後方に延長ステップ（４１）を着脱自在に取付けた、乗用田植機（１０）において、
前記延長ステップ（４１）は、ブロー成形による中空部材からなり、上面に滑り止め用突起（４２）及び排水用溝（４３）を有し、かつ裏面に、前記走行機体（１１）から延びている支持ステー（３７）を受入れる取付け位置決め用凹部（４５）を有している、
ことを特徴とする乗用田植機にある。
【０００８】
請求項２に係る本発明は、前記延長ステップ（４１）は、前記取付け位置決め用凹部（４５）を後部に配置し、前端部に取付け孔（４６）を空けた圧潰部（４７）を有し、
前記取付け位置決め用凹部（４５）に前記支持ステー（３７）を受け入れると共に、前記走行機体（１１）に、前記取付け孔（４６）を前記リヤカバー（３２）と共に共締して、前記走行機体（１１）に前記延長ステップ（４１）を取付けてなる、
請求項１記載の乗用田植機にある。
【０００９】
請求項３に係る本発明は、前記延長ステップ（４１）を、左右に分割して、左延長ステップ（５１）と、右延長ステップ（５２）により構成し、
これら左右延長ステップ（５１、５２）をそれぞれ前記走行機体（１１）に着脱自在とした、
請求項１又は２に記載の乗用田植機にある。
【００１０】
なお、前記した括弧内の符号等は、図面を参照するためのものであって、本発明を何ら限定するものではない。
【発明の効果】
【００１１】
請求項１に係る本発明によると、延長ステップをブロー成形による中空部材から形成したので、強度を維持しつつ軽量化を図ると共にコストダウンが可能となり、かつ排水及び滑り止め等の延長ステップとしての機能を向上し、また走行機体への取付けを容易かつ確実に行うことができる。
【００１２】
請求項２に係る本発明によると、延長ステップの取付けを容易かつ確実に行うことができ、また共締めによる部品点数の削減を図ることができる。
【００１３】
請求項３に係る本発明によると、走行機体の後方に設置する作業機器が、例えばペースト施肥装置か粒状施肥装置かに応じて、左右延長ステップのいずれか又は両方を取付け・取外しをすることができる。
【発明を実施するための最良の形態】
【００１４】
以下、本発明の実施の形態を図面に基づいて説明する。
【００１５】
図１は、本発明を適用した乗用田植機の側面図、図２は、延長ステップの取付け構造を示す側面図、図３は、図２の平面図、図４は、本発明による延長ステップを示すもので（ａ）は平面図、（ｂ）は背面図、（ｃ）は底面図である。
【００１６】
図１に示すように、乗用田植機１０は、走行機体１１と、該走行機体１１の後部に接続された植付け装置２１とで構成されている。前記走行機体１１は、前輪１２及び後輪１３に支持された機体１５を有しており、該機体１５の前方にはエンジン（図示せず）が搭載され、ボンネット１６で覆われている。運転席は、前記ボンネット１６の後方に配設され、ステアリングハンドル１７と座席シート１８、その他乗用田植機１０の運転操作に必要なレバー、ペダル類（図示せず）が配置されている。
【００１７】
前記植付け装置２１は、前記走行機体１１の後部に昇降リンク機構２２を介して連結されている。該植付け装置２１には、複数の植付け杆２３を有する複数のプランタ２５と、複数のフロート２６と、マット状の苗を搭載する苗のせ台２７を有している。そして、植付け杆２３を回転させることにより、苗のせ台２７上の苗を掻き取り植付けを行うようになっている。
【００１８】
図１、図２、図３に示すように、前記機体１５の後部には、機体１５と該機体１５に立設された逆Ｕ字状の支持部材３１とによりリヤカバー３２が支持され、前記支持部材３１に後方に突出するように固定されたブラケット３５にボルト３６で固定されている。該リヤカバー３２の後端上部には、ステップ３３が形成されている。
【００１９】
前記支持部材３１にその一端が後方へ突出するように固定された支持ステー３７の後端部は、平面視Ｌ字状に形成されている。延長ステップ４１は、前記ブラケット３５及び支持ステー３７に載置され、その先端部が前記リヤカバー３２と共に前記ボルト３６でブラケット３５に固定される。
【００２０】
ブロー成形による中空部材からなる延長ステップ４１は、図４に示すように、上面に滑り止め用突起４２及び排水用溝４３が形成され、裏面の後部には、前記支持ステー３７を受入れる取付け位置決め用凹部４５が形成されている。また、前端部には、前記ボルト３６を貫通させる長孔で形成された取付け孔４６をあけた圧潰部４７が形成されている。
【００２１】
前記延長ステップ４１はこのような構成であるから、乗用田植機１０に延長ステップ４１を取付ける際には、リヤカバー３２を固定しているボルト３６を外し、前記裏面に形成された位置決め用凹部４５を前記支持ステー３７に嵌め合わせると共に、圧潰部４７をリヤカバー３２の後端部に上から重ね、取付け孔４６及びリヤカバー３２の取付け孔（図示せず）にボルト３６を貫通させて、該ボルト３６をブラケット３５に形成されたねじ穴（図示せず）に螺合させ締付ける。即ち、リヤカバー３２と延長ステップ４１を共締めにて取付けることができる。
【００２２】
また、延長ステップ４１を取外す際には、延長ステップ４１がリヤカバー３２の上に重ねてあるので、ボルト３６を取外すだけで容易に延長ステップ４１を取外すことができる。
【００２３】
前記のように、延長ステップ４１をブロー成形により形成することにより、延長ステップ４１の強度を維持しつつ、延長ステップ４１の軽量化、コストダウンを実現することができる。
【００２４】
また、延長ステップ４１の上面には、滑り止め用突起４２が形成されているので、延長ステップ４１に足を乗せた場合、安定した作業姿勢を維持することができ、植付け装置２１へのマット苗の補給等の作業を安全に、かつ効率よく行うことができる。また、排水用溝４３が形成されているので、延長ステップ４１の上面に水がかかっても速やかに排水することができ、水による滑り等を防止することができ、延長ステップ４１の機能を向上させることができる。
【００２５】
図５は、本発明による延長ステップの第２の実施形態を示す平面図である。
【００２６】
図５に示すように、延長ステップ４１を、左延長ステップ５１と右延長ステップ５２で構成している。前記左右延長ステップ５１、５２は、前記延長ステップ４１と同様に、それぞれ上面に滑り止め用突起４２と排水用溝４３が形成され、裏面には、位置決め用凹部（図示せず）が形成されている。また、左右延長ステップ５１、５２の前端部には、前記ボルト３６を貫通させる長孔で形成された取付け孔４６をあけた圧潰部４７が形成されている。
【００２７】
このような構成としても、前記実施の形態と同様に、延長ステップ４１の強度を維持しつつ軽量化、コストダウン、機能を得ることができる。
【００２８】
また、走行機体１１の後方に作業機器（図示せず、例えば、施肥装置）を設置する場合、施肥装置が、ペースト施肥装置か粒状施肥装置かに応じて、左右延長ステップのいずれか一方又は両方を取付け・取外しをすることができ、乗用田植機１０に置ける作業性を向上させることができる。
【図面の簡単な説明】
【００２９】
【図１】本発明を適用した乗用田植機の側面図である。
【図２】延長ステップの取付け構造を示す側面図である。
【図３】図２の平面図である。
【図４】本発明による延長ステップを示すもので（ａ）は平面図、（ｂ）は背面図、（ｃ）は底面図である。
【図５】本発明による延長ステップの第２の実施形態を示す平面図である。
【符号の説明】
【００３０】
１０  乗用田植機
１１  走行機体
２１  植付け装置
３２  リヤカバー
３３  ステップ
３７  支持ステー
４１  延長ステップ
４２  滑り止め用突起
４３  排水用溝
４５  取付け位置決め用凹部
４６  取付け孔
４７  圧潰部
５１  左延長ステップ
５２  右延長ステップ
【図１】
2006067906.tif 000003
【図２】
2006067906.tif 000004
【図３】
2006067906.tif 000005
【図４】
2006067906.tif 000006
【図５】
2006067906.tif 000007